(57)【特許請求の範囲】
【請求項１】
それぞれコネクタ付電線における電線部分の端部を挟持する複数の電線挟持部が一列に並んで形成された棒状の電線保持部材と、
前記電線保持部材を横方向に沿う状態で支持する支持部と、
前記電線保持部材における一部の中間部分の両側の領域各々との間に前記電線保持部材から垂れ下がる前記電線部分が通る隙間を隔てて形成され、前記電線保持部材が位置する高さから下方の空間を前記電線保持部材側の第一空間とその反対側の第二空間とに仕切る複数の仕切部と、を備え、
前記仕切部各々は、
前記電線保持部材に対し前記隙間を隔てた位置で前記電線保持部材の長手方向に沿って形成された仕切基部と、
前記仕切基部から前記電線保持部材側の反対側へ曲がって形成され、前記第二空間から前記電線保持部材の前記中間部分へ通じる電線挿入路の側壁を成す挿入路形成部と、を有する、コネクタ付電線配列用具。
【請求項２】
請求項１に記載のコネクタ付電線配列用具であって、
前記仕切部各々の前記挿入路形成部は、前記電線保持部材側からその反対側へ前記電線挿入路の幅が徐々に拡がる方向へ曲がって形成されている、コネクタ付電線配列用具。
【発明の詳細な説明】
【技術分野】
【０００１】
本発明は、棒状の部材上に複数のコネクタ付電線を配列するために用いられるコネクタ付電線配列用具に関する。
【背景技術】
【０００２】
自動車などの車両に搭載されるワイヤハーネスは、複数のコネクタ付電線を備える場合が多い。コネクタ付電線は、電線と電線の端部に接続されたコネクタとを有する。コネクタ付電線における電線は、通常、端部に端子が接続された端子付電線である。端子付電線の端子がコネクタのキャビティに挿入されることにより、コネクタ付電線が製造される。
【０００３】
コネクタ付電線の組立工程において、複数のコネクタ付電線が、複数の単位工程各々において組付けの対象となるものごとにひとまとめにされ、次工程へ移送される。その際、単位工程ごとのコネクタ付電線群は、棒状の電線保持部材上に配列されることによってひとまとめにされる。
【０００４】
電線保持部材は、それぞれコネクタ付電線における電線部分の端部を挟持する複数の電線挟持部が一列に並んで形成された棒状の部材である。特許文献１に示される電線保持バーは、電線保持部材の一例である。
【先行技術文献】
【特許文献】
【０００５】
【特許文献１】特開２０１３−８５５２号公報
【発明の概要】
【発明が解決しようとする課題】
【０００６】
従来、コネクタ付電線の組立工程において、コネクタ付電線各々における電線部分の両端部が、横向きに支持された電線保持部材における電線挟持部各々に順次セットされる。これにより、複数のコネクタ付電線は、それらの電線部分の両端部が直線方向に沿って並んだ状態で電線挟持部に保持される。
【０００７】
また、電線保持部材に保持されたコネクタ付電線各々の電線部分における両端部の間の中間部は、電線保持部材から垂れ下がった状態となる。また、電線部分の中間部は、電線保持部材の長手方向において広がって垂れ下がる。
【０００８】
ところで、作業者が、コネクタ付電線各々の端部を電線挟持部にセットしようとする際に、誤ってコネクタの部分を落としてしまう場合がある。この場合、コネクタの部分が垂れ下がった電線の間を通って落下すると、電線部分が引き上げられてもコネクタが垂れ下がった電線に引っ掛かる。そのため、コネクタ部分の落下に起因するコネクタ付電線の縺れが生じやすい。
【０００９】
本発明は、棒状の部材上に複数のコネクタ付電線を配列するために用いられるコネクタ付電線配列用具において、コネクタ部分の落下に起因するコネクタ付電線の縺れを防ぐことを目的とする。
【課題を解決するための手段】
【００１０】
第１態様に係るコネクタ付電線配列用具は、以下に示される各構成要素を備える。
（１）第１の構成要素は、それぞれコネクタ付電線における電線部分の端部を挟持する複数の電線挟持部が一列に並んで形成された棒状の電線保持部材である。
（２）第２の構成要素は、上記電線保持部材を横方向に沿う状態で支持する支持部である。
（３）第３の構成要素は、上記電線保持部材における一部の中間部分の両側の領域各々との間に上記電線保持部材から垂れ下がる上記電線部分が通る隙間を隔てて形成された複数の仕切部である。上記仕切部各々は、上記電線保持部材が位置する高さから下方の空間を上記電線保持部材側の第一空間とその反対側の第二空間とに仕切る。
【００１１】
また、第１態様に係るコネクタ付電線配列用具は、上記仕切部各々は、仕切基部と挿入路形成部とを有する。上記仕切基部は、上記電線保持部材に対し上記隙間を隔てた位置で上記電線保持部材の長手方向に沿って形成された部分である。上記挿入路形成部は、上記仕切基部から上記電線保持部材側の反対側へ曲がって形成され、上記第二空間から上記電線保持部材の上記中間部分へ通じる電線挿入路の側壁を成す部分である。
【００１２】
第２態様に係るコネクタ付電線配列用具は、第１態様に係るコネクタ付電線配列用具の一態様である。第２態様に係るコネクタ付電線配列用具において、上記仕切部各々の上記挿入路形成部は、上記電線保持部材側からその反対側へ上記電線挿入路の幅が徐々に拡がる方向へ曲がって形成されている。
【発明の効果】
【００１３】
上記の各態様において、複数の仕切部各々は、電線保持部材における中間部分の両側の領域各々との間に電線保持部材から垂れ下がる電線部分が通る隙間を隔てて形成されている。そのため、コネクタ付電線におけるコネクタの部分から垂れ下がった電線部分を複数の仕切部の間から仕切部と電線保持部材との間の隙間へ挿入することができる。
【００１４】
そして、コネクタの部分から垂れ下がった電線部分が仕切部と電線保持部材との間の隙間へ挿入された状態で、電線部分の端部を電線保持部材の電線挟持部にセットすることができる。これにより、電線保持部材に保持されたコネクタ付電線各々の電線部分における両端部の間の中間部は、仕切部よりも電線保持部材側の空間（第一空間）において、電線保持部材から垂れ下がった状態となる。
【００１５】
また、仕切部は、電線保持部材が位置する高さから下方の空間を電線保持部材側の第一空間とその反対側の第二空間とに仕切る。従って、作業者が、コネクタ付電線のコネクタ部分を第二空間側において落としてしまっても、コネクタ部分が垂れ下がった電線の間に落下することはない。
【００１６】
さらに、仕切部と電線保持部材との間の隙間が、コネクタの通過を許容しない程度に狭ければ、コネクタ付電線のコネクタ部分が仕切部と電線保持部材との間の隙間から下方の第一空間へ落下することを防止できる。
【００１７】
従って、上記の各態様によれば、棒状の部材上に複数のコネクタ付電線が配列される際に、コネクタ部分の落下に起因するコネクタ付電線の縺れを防ぐことができる。なお、このことは、電線保持部材上に配列された複数のコネクタ付電線が電線保持部材から取り外される際においても同様である。
【００１８】
また、第１態様において、仕切部各々の挿入路形成部が、電線保持部材に沿う仕切基部から電線保持部材側の反対側へ曲がって形成され、第二空間から電線保持部材の中間部分へ通じる電線挿入路の側壁を成している。これにより、電線保持部材に保持されたコネクタ付電線の電線部分が、隣り合う仕切部各々の仕切基部の間から第二空間側へはみ出しにくくなる。
【００１９】
また、第２態様において、仕切部各々の挿入路形成部は、電線保持部材側からその反対側へ電線挿入路の幅が徐々に拡がる方向へ曲がって形成されている。これにより、電線挿入路の入口が広くなり、コネクタ付電線の電線部分を電線挿入路から仕切部と電線保持部材との間の隙間へ挿入しやすくなる。
【図面の簡単な説明】
【００２０】
【図１】実施形態に係るコネクタ付電線配列用具１０の斜視図である。
【図２】コネクタ付電線配列用具１０の平面図である。
【図３】コネクタ付電線配列用具１０及びそれにセットされるコネクタ付電線の平面図である。
【図４】コネクタ付電線がセットされたコネクタ付電線配列用具１０の斜視図である。
【図５】コネクタ付電線が引っ掛かっているコネクタ付電線配列用具１０の断面図である。
【発明を実施するための形態】
【００２１】
以下、添付の図面を参照しながら、実施形態について説明する。以下の実施形態は、本発明を具体化した一例であり、本発明の技術的範囲を限定する事例ではない。
【００２２】
＜コネクタ付電線配列用具の構成＞
まず、図１，２を参照しつつ、実施形態に係るコネクタ付電線配列用具１０の構成について説明する。コネクタ付電線配列用具１０は、棒状の部材上に複数のコネクタ付電線９を配列するために用いられる。
【００２３】
コネクタ付電線は、電線９１と電線９１の端部に接続されたコネクタ９２とを有する。電線９１は、通常、端部に端子が接続された端子付電線である。コネクタ付電線９において、電線９１の端部に接続された端子がコネクタ９２のキャビティに挿入されている。以下の説明において、コネクタ付電線９におけるコネクタ９２から延び出た電線９１の部分の端部、即ち、電線９１におけるコネクタ９２寄りの部分のことを電線端部９１０と称する。
【００２４】
コネクタ付電線配列用具１０は、電線保持バー１、バー支持部２及び複数の仕切部３を備えている。例えば、コネクタ付電線配列用具１０は２つの仕切部３を備えている。
【００２５】
電線保持バー１は、複数のコネクタ付電線９各々の電線端部９１０を挟んで保持する棒状の部材である。電線保持バー１は、棒状の基部１１と基部１１上に一列に並んで形成された複数の電線挟持部１２とを有する。電線挟持部１２各々は、コネクタ付電線９の電線端部９１０を挟んで支持する部分である。複数の電線挟持部１２は、電線保持バー１の長手方向に沿って配列されている。
【００２６】
バー支持部２は、電線保持バー１を横方向に沿う状態で支持する部分である。例えば、バー支持部２は、電線保持バー１を水平向に沿う状態で支持する。ここで、横方向という用語は、水平方向の他、水平方向に対して僅かに傾斜した方向も含むことを意味する。
【００２７】
バー支持部２は、支柱部２１と固定座２２とを有している。固定座２２は、電線保持バー１の基部１１を取り外し可能に保持する部分である。図１，２が示す例では、固定座２２は、電線保持バー１の基部１１の両端部各々を保持している。
【００２８】
支柱部２１は、固定座２２を予め定められた位置で支持する部分である。図１，２が示す例では、支柱部２１は、複数の固定座２２各々を同じ高さの位置で支持している。これにより、電線保持バー１が水平に沿う姿勢で支持される。
【００２９】
コネクタ付電線９各々は、それら各々のコネクタ９２が電線保持バー１からその第一側方へ張り出す姿勢で電線挟持部１２各々に留められる。従って、電線保持バー１に保持されたコネクタ付電線９各々の電線９１の部分は、電線保持バー１の第二側方へ垂れ下がる。
【００３０】
例えば、電線挟持部１２は、それぞれ電線端部９１０が挿入されるスリットが形成された２枚の板状のゴム部材と、それら２枚のゴム部材の縁部を保持する枠部材とを有する。この場合、電線挟持部１２は、電線端部９１０をゴム部材の弾性力によって挟んで支持する。
【００３１】
或いは、電線挟持部１２が、合成樹脂などからなる可撓性を有する一対の部材を有することも考えられる。この場合、電線挟持部１２における一対の部材は、弾性変形により生じる弾性力によって電線９１を挟んで留める。また、電線挟持部１２が、不図示のバネなどの弾性体によって相互に近接する方向への弾性力が加えられた一対の部材を有することも考えられる。
【００３２】
通常、電線保持バー１に保持されたコネクタ付電線９各々は、その両端部各々にコネクタ９２が接続されている。そして、複数のコネクタ付電線９各々における両端の電線端部９１０が、１つの電線保持バー１における電線挟持部１２のいずれかに留められる。
【００３３】
従って、１本のコネクタ付電線９における両端のコネクタ９２各々に隣接する電線端部９１０各々が、電線保持バー１における離れた２箇所の電線挟持部１２各々に支持された場合、電線９１の中間部分は、横方向（電線保持バー１の長手方向）において広がって垂れ下がる。
【００３４】
仕切部３は、電線保持バー１に保持されたコネクタ付電線９における電線保持バー１から垂れ下がる電線９１の中間部分が電線保持バー１から第二側方へ一定の距離を超えてはみ出すことを制限する。
【００３５】
仕切部３各々は、仕切板３１と仕切板３１を予め定められた位置で支持する仕切板支持部３２とを有している。例えば、仕切板３１は透明な板状の部材である。
【００３６】
仕切部３各々の仕切板３１は、電線保持バー１における一部の中間部分１１０の両側の領域各々との間に電線保持バー１から垂れ下がる電線９１の部分が通る隙間４１を隔てて形成されている。
【００３７】
より具体的には、仕切部３各々において、仕切板３１は、仕切基部３１１と仕切基部３１１に連なった挿入路形成部３１２とを有する。
【００３８】
仕切基部３１１は、電線保持バー１に対し隙間４１を隔てた位置で電線保持バー１の長手方向に沿って形成された部分である。仕切部３各々において、仕切基部３１１は、電線保持バー１が位置する高さから下方の空間を電線保持バー１側の第一空間５１とその反対側の第二空間５２とに仕切っている。
【００３９】
一方、挿入路形成部３１２は、仕切基部３１１から電線保持バー１側の反対側へ曲がって形成された部分である。仕切部３各々の挿入路形成部３１２は、隣の仕切部３の挿入路形成部３１２との間に電線保持バー１の中間部分１１０へ通じる電線挿入路４２を形成している。
【００４０】
即ち、仕切部３各々の挿入路形成部３１２は、第二空間５２から電線保持バー１の中間部分１１０へ通じる電線挿入路４２の側壁を成している。
【００４１】
図１〜４が示す例では、仕切部３各々の挿入路形成部３１２は、電線保持バー１側からその反対側へ電線挿入路４２の幅が徐々に拡がる方向へ曲がって形成されている。
【００４２】
＜作用及び効果＞
次に、図３〜５を参照しつつ、コネクタ付電線配列用具１０が用いられることによる作用及び効果について説明する。図３は、コネクタ付電線配列用具１０及びそれにセットされるコネクタ付電線９の平面図である。図４は、コネクタ付電線９がセットされたコネクタ付電線配列用具１０の斜視図である。図５は、コネクタ付電線９が引っ掛かっているコネクタ付電線配列用具１０の断面図である。
【００４３】
図３が示すように、コネクタ付電線９の端部は、それを摘んだ作業者によって仕切部３に対して第二空間５２側の位置から電線保持バー１の電線挟持部１２の位置へ移される。その際、コネクタ９２から垂れ下がった電線９１の部分が、隣り合う仕切部３の間の電線挿入路４２から仕切基部３１１と電線保持バー１との間の隙間４１へ挿入されるにして、コネクタ付電線９の位置が移される。
【００４４】
そして、コネクタ９２から垂れ下がった電線９１の部分が仕切基部３１１と電線保持バー１との間の隙間４１へ挿入された状態で、電線端部９１０が、電線保持バー１の電線挟持部１２にセットされる。これにより、電線保持バー１に保持されたコネクタ付電線９各々の電線９１における両端部の間の中間部は、仕切基部３１１よりも電線保持バー１側の第一空間５１において、電線保持バー１から垂れ下がった状態となる。図４はその状態を示している。
【００４５】
前述したように、仕切基部３１１は、電線保持バー１が位置する高さから下方の空間を電線保持バー１側の第一空間５１とその反対側の第二空間５２とに仕切っている。従って、作業者が、コネクタ付電線９のコネクタ９２部分を第二空間５２側において落としてしまっても、コネクタ９２が垂れ下がった電線９１の間に落下することはない。
【００４６】
また、仕切基部３１１と電線保持バー１との間の隙間４１は、コネクタ９２の通過を許容しない程度に狭く形成されている。そのため、作業者が、コネクタ付電線９の電線端部９１０を電線挟持部１２にセットする直前にコネクタ９２を落としてしまった場合でも、図５が示すように、コネクタ９２が、電線保持バー１の基部１１及び仕切基部３１１の上端部に引っ掛かる。
【００４７】
即ち、コネクタ付電線配列用具１０は、コネクタ付電線９のコネクタ９２が仕切部３と電線保持バー１との間の隙間４１から下方の第一空間５１へ落下することも防止する構造も備えている。
【００４８】
従って、コネクタ付電線配列用具１０が採用されれば、電線保持バー１上に複数のコネクタ付電線９が配列される際に、コネクタ９２の落下に起因するコネクタ付電線９の縺れを防ぐことができる。なお、このことは、電線保持バー１上に配列された複数のコネクタ付電線９が電線保持バー１から取り外される際においても同様である。
【００４９】
また、コネクタ付電線配列用具１０において、仕切部３各々の挿入路形成部３１２が、第二空間５２から電線保持バー１の中間部分１１０へ通じる電線挿入路４２の側壁を成している。これにより、電線保持バー１に保持されたコネクタ付電線９の電線９１の部分が、隣り合う仕切部３各々の仕切基部３１１の間から第二空間５２側へはみ出しにくくなる。
【００５０】
さらに、コネクタ付電線配列用具１０において、仕切部３各々の挿入路形成部３１２は、電線保持バー１側からその反対側へ電線挿入路４２の幅が徐々に拡がる方向へ曲がって形成されている。これにより、電線挿入路４２の入口が広くなり、コネクタ付電線９の電線９１の部分を電線挿入路４２から仕切基部３１１と電線保持バー１との間の隙間４１へ挿入しやすい。
【００５１】
＜応用例＞
コネクタ付電線配列用具１０において、バー支持部２が、当該バー支持部２を次の工程の位置へ順次移動させる移送機構に支持されていることも考えられる。この場合、移送機構は、バー支持部２を予め定められた位置へ移動させることにより、バー支持部２に支持された電線保持バー１を仕切基部３１１に対して予め定められた隙間４１を隔てた位置に位置決めする。
【００５２】
また、仕切部３における第一空間５１と第二空間５２とを仕切る部分は、板状であるとは限らない。例えば、仕切部３における第一空間５１と第二空間５２とを仕切る部分が、網状の部材又は格子状の部材などであることも考えられる。
【００５３】
なお、本発明に係るコネクタ付電線配列用具は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００５４】
１０  コネクタ付電線配列用具
１  電線保持バー（電線保持部材）
１１  電線保持バーの基部
１１０  電線保持バーの中間部分
１２  電線挟持部
２  バー支持部
２１  支柱部
２２  固定座
３  仕切部
３１  仕切板
３１１  仕切基部
３１２  挿入路形成部
３２  仕切板支持部
４１  隙間
４２  電線挿入路
５１  第一空間
５２  第二空間
９  コネクタ付電線
９１  電線
９１０  電線端部
９２  コネクタ
【図１】
0006024627.tif 000002
【図２】
0006024627.tif 000003
【図３】
0006024627.tif 000004
【図４】
0006024627.tif 000005
【図５】
0006024627.tif 000006